(57)【要約】【課題】  音声による通話時に並行して文字データによる通信が可能な情報送信システムを提供する。【解決手段】  文字入力部１２から文字データを入力し、指示入力部１３から電話番号を入力して電話をかける。すると、電話番号に対応する受信側端末３０に対して接続要求が送信される。この際、受信部３１は接続要求元の電話番号を文字データに変換して文字出力部３３に表示出力する。受信側が電話に出た後は、通話中に、送信者が文字入力部１２から文字データを入力し、指示入力部１３から文字データを送信する指示を行う。すると、文字データが送信部１４からネットワークを経由して受信部３１に向けて送信され、文字出力部３３から表示出力される。【選択図】  図１
2005269464.tif 000002
【特許請求の範囲】
【請求項１】
送信側端末と受信側端末を利用して通話を行うことが可能なシステムであって、
前記送信側端末は、音声を入力する音声入力部と、文字データを入力する文字入力部と、データ送信に関する指示を入力する指示入力部と、前記指示入力部からの指示に基づいて前記入力された文字データの送信を行う送信部を有すると共に、
前記受信側端末は、前記送信側端末の送信部から送信された音声データおよび文字データを受信する受信部と、前記受信した音声データを音声として出力する音声出力部と、前記受信した文字データを表示出力する文字出力部を有し、
前記送信部は、音声入力部から入力された音声を受信側端末に送信する処理と並行して、前記文字入力部から文字データを受け取った場合には、文字データを送信する処理を行う機能を有するものであり、
前記受信部は、前記送信側端末から受信した音声データを前記音声出力部に出力する機能を有すると共に、前記送信側端末から文字データを受信した場合には、文字データを前記文字出力部に出力する機能を有するものであることを特徴とする情報送信システム。
【請求項２】
送信側端末と受信側端末を利用して通話を行うことが可能なシステムであって、
前記送信側端末は、音声を入力する音声入力部と、文字データを入力する文字入力部と、データ送信に関する指示を入力する指示入力部と、前記指示入力部からの指示に基づいて前記入力された文字データの送信を行う送信部を有すると共に、
前記受信側端末は、前記送信側端末の送信部から送信された音声データおよび文字データを受信する受信部と、前記受信した音声データを音声として出力する音声出力部と、前記受信した文字データを表示出力する文字出力部を有し、
前記送信部は、前記指示入力部から入力された電話番号で特定される受信側端末に接続要求を送信すると共に、文字入力部から入力された文字データを送信する機能を有するものであり、
前記受信部は、前記送信側端末から受信した接続要求を受け付けると同時に、文字データを受信した場合には、当該文字データを前記文字出力部に出力する機能を有するものであることを特徴とする情報送信システム。
【請求項３】
前記送信側端末としての機能および前記受信側端末としての機能を備えた端末装置を複数利用し、当該端末装置相互間で音声および文字の送受信を行うことを特徴とする請求項１または請求項２に記載の情報送信システム。
【発明の詳細な説明】
【技術分野】
【０００１】
本発明は、携帯電話や固定電話の通話中にディスプレイ上に表示するための文字情報を送信するための技術に関する。
【背景技術】
【０００２】
従来より遠距離間の連絡には、電話等の音声の送受信による通話が利用されており、近年では、電子メール等による文字情報の送受信も利用されている。また、音声を文字情報に変換して送信する技術も提案されている（例えば、特許文献１参照）。
【特許文献１】特開平９−４６４１３号公報
【発明の開示】
【発明が解決しようとする課題】
【０００３】
しかしながら、上記従来の技術では、音声を文字情報に変換するため、音声による通話時に文字情報を送信することができない。また、従来の手法では、アドレスに未登録の電話番号から着信があった場合に、相手が誰であるか確認することができないという問題もある。
【０００４】
上記のような点に鑑み、本発明は、音声による通話時に並行して文字データによる通信が可能な情報送信システムを提供することを課題とする。
【課題を解決するための手段】
【０００５】
上記課題を解決するため、本発明の情報送信システムは、送信側端末と受信側端末を利用して通話を行うことが可能なシステムであって、前記送信側端末は、音声を入力する音声入力部と、文字データを入力する文字入力部と、データ送信に関する指示を入力する指示入力部と、前記指示入力部からの指示に基づいて前記入力された文字データの送信を行う送信部を有すると共に、前記受信側端末は、前記送信側端末の送信部から送信された音声データおよび文字データを受信する受信部と、前記受信した音声データを音声として出力する音声出力部と、前記受信した文字データを表示出力する文字出力部を有し、前記送信部は、音声入力部から入力された音声を受信側端末に送信する処理と並行して、前記文字入力部から文字データを受け取った場合には、文字データを送信する処理を行う機能を有するものであり、前記受信部は、前記送信側端末から受信した音声データを前記音声出力部に出力する機能を有すると共に、前記送信側端末から文字データを受信した場合には、文字データを前記文字出力部に出力する機能を有する構成としたことを特徴とする。
【発明の効果】
【０００６】
本発明によれば、複数の端末間において、送信側端末は、音声入力部から入力された音声を受信側端末に送信する処理と並行して、文字入力部から文字データを受け取った場合には、文字データを送信する処理を行い、受信側端末は、送信側端末から受信した音声データを音声出力部に出力する機能を有すると共に、送信側端末から文字データを受信した場合には、文字データを文字出力部に出力するようにしたので、音声による通話時に、並行して文字データによる通信が可能となるという効果を奏する。
【発明を実施するための最良の形態】
【０００７】
以下、本発明の好適な実施形態について、図面を参照して詳細に説明する。
（システム構成）
まず、本発明に係る情報送信システムの全体構成について説明する。図１は、本発明に係る情報送信システムの一実施形態を示す構成図である。図１において、１０は送信側端末、２０はネットワーク、３０は受信側端末、１１は音声入力部、１２は文字入力部、１３は指示入力部、１４は送信部、３１は受信部、３２は音声出力部、３３は文字出力部である。
【０００８】
送信側端末１０および受信側端末２０は、送信者、受信者が利用する端末装置であり、具体的には、音声データ、文字データの送受信が可能な専用のハードウェアにより実現される。送信側端末１０の構成に必要な構成としては、データ処理のためのＣＰＵ、データ記録のためのメモリ、音声データ入力用のマイク、文字データ入力、指示入力用の操作機器、ユーザインタフェースとしての表示装置が必要となる。受信側端末３０の構成に必要な構成としては、データ処理のためのＣＰＵ、データ記録のためのメモリ、音声データ出力用のスピーカ、文字データ出力用の表示装置が必要となる。送信側端末１０は、機能的には、音声を入力するための音声入力部１１、文字データを入力するための文字入力部１２、送信側端末１０に送信者の指示を与えるための指示入力部１３、入力された音声データおよび文字データを送信する送信部１４を有している。受信側端末３０は、機能的には、送信された音声データおよび文字データを受信する受信部３１、音声を出力するための音声出力部３２、文字データを出力するための文字出力部３３を有している。
【０００９】
なお、ここでは、処理をわかりやすく説明するために、送信側端末１０と受信側端末３０に分けたが、実際の実施の形態としては、１つの通信端末装置に両方の機能を備えることにより、１つの端末装置で送信も受信も行うこととなる。ここで、送信側端末１０としての機能、受信側端末３０としての機能を備えた通信端末装置を利用した情報送信システムの全体構成を図２に示す。図２において、１００ａ、１００ｂは通信端末装置であり、図１に示した送信側端末１０、受信側端末３０としての両方の機能を備えている。しかし、具体的な処理動作については、説明の便宜上、送信側と受信側に分けた図１に従って説明する。
【００１０】
（処理動作）
次に、図１に示した装置の処理動作について説明する。まず、送信者は、送信側端末１０の文字入力部１２から送信すべき文字データを入力すると共に、指示入力部１３から通話先の電話番号を入力して電話をかける。すると、入力された電話番号に対応する端末装置（ここでは、受信側端末３０）に対して接続要求が送信される。この際、受信側端末３０の受信部３１は接続要求元の電話番号を文字データに変換して文字出力部３３に表示出力する。このような電話番号の表示出力は、従来より行われていることである。本システムでは、この電話番号の表示の際、接続要求と同時に送信されてきた文字データも表示することができる。具体的には、上述のように、送信側端末１０の文字入力部１２から入力された文字データは、その接続要求と共に受信側端末３０の受信部３１に送信されるので、受信部３１では、文字データがそのまま送信されてきた場合には、その文字データを文字出力部３３に表示出力させる処理を行う。この際、受信部３１は従来と同様に、電話番号の表示を行う処理も行うので、文字出力部３３には、接続要求のある電話番号と共に文字データが表示されることになる。上記送信側端末１０の文字入力部１２において、送信者の名前を文字データとして入力すれば、受信側端末３０の文字出力部３３には、電話番号と共に送信者の名前が送信されることになる。したがって、受信者は、あらかじめ電話番号を登録していない相手から電話がかかってきた場合であっても、電話に出る前に相手が誰か認識できることになる。送信側端末１０において電話をかける際に、文字データとして要件を入力すれば、その要件が電話番号と共に受信側端末３０の文字出力部に表示出力されることになる。要件が表示されることにより、受信者は重要度を図る目安になり、例えば会議中や電車内など電話に出づらい状況で、緊急性の判断を行うことができる。
【００１１】
受信者が電話に出た場合、通常の電話と同様、通話が開始されることになる。通話が行われている際にも、送信者は、文字データを送信することができる。具体的には、送信者が送信側端末１０の文字入力部１２から文字データを入力し、指示入力部１３から入力した文字データを送信する指示を行う。すると、入力された文字データが送信部１４からネットワークを経由して受信側端末３０の受信部３１に向けて送信される。
【００１２】
受信側端末３０の受信部３１では、送信側端末１０から送信されてきた文字データを受信すると、受信した文字データを文字出力部３３から表示出力する。これにより、受信者は、通話中であっても、音声による通話と並行して、文字による情報の取得を行うことができる。したがって、両者は、音声により通話をしながら、音声だけでは伝え難い情報を、文字として伝達することができる。
【図面の簡単な説明】
【００１３】
【図１】本発明に係る情報送信システムの一実施形態を示す全体構成図である。
【図２】送信側端末１０としての機能、受信側端末３０としての機能を備えた通信端末装置を利用した情報送信システムの全体構成図である。
【符号の説明】
【００１４】
１０・・・送信側端末（送信側端末機能）
１１・・・音声入力部
１２・・・文字入力部
１３・・・指示入力部
１４・・・送信部
２０・・・ネットワーク
３０・・・受信側端末（受信側端末機能）
３１・・・受信部
３２・・・音声出力部
３３・・・文字出力部
１００ａ、１００ｂ・・・通信端末装置
【図１】
2005269464.tif 000003
【図２】
2005269464.tif 000004